(57)【要約】      （修正有）【課題】ガスエンジン発電ユニット、燃料電池ユニット等の重量機器の設置に好適なプレキャストコンクリート基礎を提供する。【解決手段】下側ユニット３を土間コンクリート９上の両取付孔間に据え置く。下側ユニット３運搬に際しては、ユニット連結金具４を下側ユニット３の取付孔にボルト４ｅで仮止めした状態で、両手に吊り下げて持ち運びすることができる。次に、上側ユニット２を下側ユニット３の直上に載置する。上側ユニット２の運搬に際しては、爪部収容凹部に指を差し入れて、両手で持ち運び可能である。上側ユニット２載置後、連結金具４及び基礎固定金具５を一体としてボルト固定する。ＰＣ基礎固定後に機器８を上側ユニット２上に載置し、機器脚部８ａを上側ユニット２にボルト固定して設置が完了する。【選択図】図８
0003168559.tif 000002
【実用新案登録請求の範囲】
【請求項１】
重量機器設置用のプレキャストコンクリート基礎であって、
下側ユニットと、
下側ユニットの上面に載置される上側ユニットと、
下側ユニットと上側ユニットとを連結固定するための一対のユニット連結金具と、を備え、
上側ユニットは、上面に重量機器固定のための機器取付孔と、両側面にユニット連結金具を掛止させるための爪部収容凹部と、を備え、
下側ユニットは、両側面にユニット連結金具固定のための連結金具取付孔を備え、
ユニット連結金具は、上側ユニットの爪部収容凹部の下面に掛止する爪部と、上側ユニット及び下側ユニットの側面に当接して、該連結金具取付孔にボルト固定されるユニット固定部と、を備えてＬ字形状に構成し、
て成ることを特徴とするプレキャストコンクリート基礎。
【請求項２】
請求項１において、土間コンクリート上に設置するための基礎固定金具を、さらに備え、  
該基礎固定金具は、前記ユニット連結金具の前記ユニット固定部の上側に当接して、前記連結金具取付孔にボルト固定される連結金具固定部と、
土間コンクリートにボルト固定される土間固定部と、を備えてＬ字形状に構成し、
て成ることを特徴とするプレキャストコンクリート基礎。
【請求項３】
前記上側ユニットの前記爪部収容凹部は、作業者が指を差し入れて持ち運び可能に構成したことを特徴とする請求項１又は２に記載のプレキャストコンクリート基礎。
【請求項４】
前記下側ユニットは、運搬時において作業者が前記ユニット連結金具又は前記基礎固定金具をボルトで仮止めした状態で、前記ユニット固定部又は前記土間固定部を掴持して持ち運び可能に構成したことを特徴とする請求項１乃至３に記載のプレキャストコンクリート基礎。
【考案の詳細な説明】
【技術分野】
【０００１】
本考案はプレキャストコンクリート基礎に関し、特に、ガスエンジン発電ユニット、燃料電池ユニット等の重量機器の設置に好適なプレキャストコンクリート基礎に関する。
【背景技術】
【０００２】
ガスエンジン発電ユニットのような家庭用重量機器の設置に際しては、コンクリート基礎上に設置することが必要となるが、一体タイプのプレキャスト基礎では重量が過大となり、単独での運搬、据え付け作業が困難であるため実用に適さない。このため、従来、重量機器の設置基礎に関しては、現場施工によるか、又は複数のユニットに分割したコンクリート基礎を現場で組み立てる工法が一般に用いられている。
本願出願人は、民生用重量機器を設置するための平板形状プレキャストコンクリート基礎（以下、適宜ＰＣ基礎と略記する）において、複数枚のコンクリートユニットに分割して構成され、現場で一体に組み立てるＰＣ基礎を提案している（実用新案登録文献１）。
【先行技術文献】
【特許文献】
【０００３】
【特許文献１】実用新案登録第３０９９０１９号公報
【考案の開示】
【考案が解決しようとする課題】
【０００４】
文献１のＰＣ基礎によれば単独作業が可能であり、作業効率の向上、設置コストの低減化が可能となる。
本願考案者は、文献１によるＰＣ基礎の長所を確保しつつ、さらに分割タイプの場合に、設置に際して水平をとるために手間を要する、接続面の隙間からの音漏れが生じて、騒音上問題となる、等の設置性、遮音性の問題を解消するため鋭意研究を進め、本考案を完成するに至った。
【課題を解決するための手段】
【０００５】
本考案は、上記課題を解決するための技術であって、以下の内容をその要旨とする。すなわち、本考案に係るプレキャストコンクリート基礎は、
（１）重量機器設置用のプレキャストコンクリート基礎であって、下側ユニットと、下側ユニットの上面に載置される上側ユニットと、下側ユニットと上側ユニットとを連結固定するための一対のユニット連結金具と、を備え、上側ユニットは、上面に重量機器固定のための機器取付孔と、両側面にユニット連結金具を掛止させるための爪部収容凹部と、を備え、下側ユニットは、両側面にユニット連結金具固定のための連結金具取付孔を備え、ユニット連結金具は、上側ユニットの爪部収容凹部の下面に掛止する爪部と、上側ユニット及び下側ユニットの側面に当接して、該連結金具取付孔にボルト固定されるユニット固定部と、を備えてＬ字形状に構成し、て成ることを特徴とする。
【０００６】
（２）上記（１）において、土間コンクリート上に設置するための基礎固定金具を、さらに備え、該基礎固定金具は、前記ユニット連結金具の前記ユニット固定部の上側に当接して、前記連結金具取付孔にボルト固定される連結金具固定部と、土間コンクリートにボルト固定される土間固定部と、を備えてＬ字形状に構成し、て成ることを特徴とする。
【０００７】
（３）上記各発明において、前記上側ユニットの前記爪部収容凹部は、作業者が指を差し入れて持ち運び可能に構成したことを特徴とする。
【０００８】
（４）上記各発明において、前記下側ユニットは、運搬時において作業者が前記ユニット連結金具又は前記基礎固定金具をボルトで仮止めした状態で、前記ユニット固定部又は前記土間固定部を掴持して持ち運び可能に構成したことを特徴とする。
【考案の効果】
【０００９】
本考案によれば、重量物であるＰＣ基礎を２ユニットに分割して構成し、かつ、ユニット固定用部材及び取付孔を運搬又は据え付け作業時の補助用具としても利用できる構成としたため、作業効率の向上、設置コストの低減が可能となる。
また、上側ユニットと下側ユニットを重ねて設置する構造としたため、水平確保が極めて容易となり、作業効率の向上、設置コストの低減が可能となる。
さらに、上下ユニット間に隙間が生じない構造であるため、遮音性が向上するという効果がある。
また、ユニット連結金具及び基礎固定金具を適宜組み合わせて用いることにより、設置場所条件（土間コンクリート、スラブ、土間  等）を問わず、対応できるという効果がある。
【図面の簡単な説明】
【００１０】
【図１】第一の実施形態に係るプレキャストコンクリート基礎１の全体構成を示す図である。
【図２】上側ユニット２の構成を示す図である。
【図３】下側ユニット３の構成を示す図である。
【図４】ユニット連結金具４及び基礎固定金具５の構成を示す図である。
【図５】プレキャストコンクリート基礎１の施工工程を示す図である。
【図６】下側ユニット３運搬時の態様を示す図である。
【図７】上側ユニット２運搬時の態様を示す図である。
【図８】プレキャストコンクリート基礎１の機器設置状態を示す図である。
【図９】第二の実施形態に係るプレキャストコンクリート基礎２０の機器設置状態を示す図である。
【考案を実施するための形態】
【００１１】
以下、本考案に係るプレキャストコンクリート基礎の実施形態について、図１乃至９を参照してさらに詳細に説明する。重複説明を回避するため、各図において同一構成には同一符号を用いて示している。なお、本考案の範囲は請求の範囲記載のものであって、以下の実施形態に限定されないことはいうまでもない。
【００１２】
（第一の実施形態）
本実施形態は、既設の土間コンクリートに本考案に係るプレキャストコンクリート基礎を設置する態様に係る。
図１、８を参照して、プレキャストコンクリート（ＰＣ）基礎１は家庭用重量ガス機器８（例えばガスエンジン発電ユニット、燃料電池発電ユニット  等）を固定する上側ユニット２と、土間コンクリート９上に設置される下側ユニット３と、上側ユニット２と下側ユニット３とを連結するユニット連結金具４と、下側ユニット３を土間コンクリートに固定する基礎固定金具５と、を主要構成として備えている。
図２を参照して、上側ユニット２は内部に強化用鉄筋（図示せず）を配したコンクリート製の厚板形状に構成されている。上面２ａの四隅には機器８固定のための取付孔２ｅが穿けられており、それぞれ不図示の固定用アンカープラグが打ち込まれている。側面２ｃの中央には、ユニット連結金具４の爪部４ｂを収容可能とする爪部収容凹部２ｄが設けられている。
【００１３】
図３を参照して、下側ユニット３は上側ユニット２と略同一構造かつ同一寸法に構成され、その両側面３ｃにはユニット連結金具４及び基礎固定金具５固定のための一対の取付孔３ｄが、それぞれ設けられている。
【００１４】
図４（ａ）を参照して、ユニット連結金具４は、上側ユニット２及び下側ユニット３の端面に当接し、取付孔３ｄにボルト固定されるユニット固定部４ａと、上側ユニット２の爪部収容凹部２ｄの下面２ｆに掛止させる爪部４ｂと、がＬ字形状に構成されている。固定部４ａには一対の長丸穴形状の取付孔４ｃが、爪部４ｂには一対の長丸穴形状の取付孔４ｄが、それぞれ設けられている。
図４（ｂ）を参照して、基礎固定金具５は、ユニット連結金具４のユニット固定部４ａ表面に当接し、取付孔５ｃに重ねてボルト固定される連結金具固定部５ａと、土間コンクリート９表面にボルト固定される土間固定部５ｂと、がＬ字形状に構成されている。連結金具固定部５ａには一対の長丸穴形状の取付孔５ｃが、土間固定部５ｂには一対の長丸穴形状の取付孔５ｄが、それぞれ設けられている。
なお、ユニット連結金具４と基礎固定金具５は同一形状に構成され、９０度回転して用いることにより上記固定が可能となるように、各取付孔位置が設定されている。
【００１５】
ＰＣ基礎１は以上のように構成されており、次に、ＰＣ基礎１及び機器８を土間コンクリート上に設置する場合の設置方法について説明する。図５を参照して、
（ａ）ＰＣ基礎１設置に先行して、水平に調整した土間コンクリート９の下側ユニット３固定の対応位置に取付孔９ａを穿け、アンカープラグ（図示せず）を打ち込んで置く。
（ｂ）下側ユニット３を土間コンクリート９上の両取付孔９ａ間に据え置く。下側ユニット３運搬に際しては、図６に示すようにユニット連結金具４を下側ユニット３の取付孔３ｄにボルト４ｅで仮止めした状態で、両手に吊り下げて持ち運びすることができる。
次いで、ボルト５ｅを基礎固定金具５の取付孔５ｃに通して、土間コンクリート９に仮置きしておく。
【００１６】
（ｃ）次に、上側ユニット２を下側ユニット３の直上に載置する。上側ユニット２の運搬に際しては、図７に示すように爪部収容凹部２ｄに指を差し入れて、両手で持ち運び可能である。
（ｄ）図８を参照して、上側ユニット２載置後、ユニット連結金具４の爪部４ｂを爪部収容凹部２ｄの下面２ｆに掛止させ、固定部４ａを上側ユニット２及び下側ユニット３の端面に当接させる。その上側に基礎固定金具５の固定部５ａを重ね、下側ユニット３の取付孔３ｄ、土間コンクリート９の取付孔９ａとの位置合わせをした後、連結金具４及び基礎固定金具５を一体としてボルト４ｅ、５ｅにより固定する。固定に際して、連結金具４の爪部４ｂが上側ユニット２の収容孔下面２ｆを下側に押し付けようにして、上側ユニット２と下側ユニット３が密着状態で固定されるようにする。
（ｅ）ＰＣ基礎１固定後に機器８を上側ユニット２上に載置し、固定ボルト８ｂにより機器脚部８ａを上側ユニット２に固定して設置が完了する。
【００１７】
（第二の実施形態）
さらに、本考案の他の実施形態について説明する。本実施形態はＰＣ基礎１を土間コンクリート９ではなく、地面上に直接設置する態様に係る。ＰＣ基礎１本体の構成は第一の実施形態と同一であるので、重複説明を省略する。
図９は、本実施形態におけるＰＣ基礎２０設置状態の側面端部詳細構成を示す図である。本実施形態では、地表面を僅かに（１０ｍｍ程度）削って水平面２１ａを形成し、水平面２１ａ上に下側ユニット３を配置する。また、本実施形態では基礎固定金具５を用いることなく、ユニット連結金具４のみで上側ユニット２と下側ユニット３を密着固定させる。
なお、ユニット連結金具４の爪部４ｂ、固定部５ａの固定態様、上側ユニット２と下側ユニット３の運搬時の態様、機器固定態様等については上述の実施形態と同一であるので、重複説明を省略する。
【産業上の利用可能性】
【００１８】
本考案はガスエンジン発電機に限らず、重量機器用の基礎として広く適用可能である。
【符号の説明】
【００１９】
１、２０・・・・プレキャストコンクリート（ＰＣ）基礎
２・・・・上側ユニット
３・・・・下側ユニット
４・・・・ユニット連結金具
５・・・・基礎固定金具
【図１】
0003168559.tif 000003
【図２】
0003168559.tif 000004
【図３】
0003168559.tif 000005
【図４】
0003168559.tif 000006
【図５】
0003168559.tif 000007
【図６】
0003168559.tif 000008
【図７】
0003168559.tif 000009
【図８】
0003168559.tif 000010
【図９】
0003168559.tif 000011